(57)【要約】【課題】上階と該上階に隣接する下階とを備える建物において、下階への採光を確保するとともに、上階の床面積が小さくなるのを防ぐ。【解決手段】２階と該２階に隣接する１階とを備える建物において、２階の床６と外壁Ｗ１との間に該外壁Ｗ１に沿って形成され、２階と１階とを連通する隙間部２と、この隙間部２を覆うように設けられ、２階と１階とを連通した状態で１階への物の落下を防ぐ格子部２ａと、を備え、隙間部２の幅を１ｍ以下とする。この構成によれば、隙間部２は２階と１階とを連通しているため、２階の光が１階へと差し込むことによって、１階への採光を確保することができる。また、隙間部２を覆うように格子部２ａが設けられているため、２階から１階へと物が落下するのを防ぐことができる。さらに、隙間部２の幅は１ｍ以下であるため、２階の床面積が小さくなるのを防ぐことができる。【選択図】図１
2007107297.tif 000002
【特許請求の範囲】
【請求項１】
上階と該上階に隣接する下階とを備える建物において、
前記上階の床と外壁との間に該外壁に沿って形成され、前記上階と前記下階とを連通する隙間部と、
この隙間部を覆うように設けられ、前記上階と前記下階とを連通した状態で下階への物の落下を防ぐ落下防止部と、を備え、
前記隙間部の幅は１ｍ以下であることを特徴とする建物。
【請求項２】
前記床は、建築用床パネルで形成されており、
この建築用床パネルには、その厚さ方向に貫通する平面視略長方形の貫通孔を複数有する格子部が設けられ、
前記落下防止部は、前記格子部によって構成されていることを特徴とする請求項１に記載の建物。
【請求項３】
前記建築用床パネルは、矩形状の枠体と、この枠体の片面の一部分に貼着される面材と、前記枠体の前記面材が貼着されていない部分に設けられる前記格子部と、を備えることを特徴とする請求項２に記載の建物。
【請求項４】
前記上階の外壁には、前記隙間部の上方に窓が設けられていることを特徴とする請求項１〜３のいずれか一項に記載の建物。
【請求項５】
平面視において前記外壁に対向した外壁に面して、前記上階と下階とを連通する吹抜が設けられていることを特徴とする請求項１〜４のいずれか一項に記載の建物。
【発明の詳細な説明】
【技術分野】
【０００１】
本発明は、上階と該上階に隣接する下階とを備える建物に関する。
【背景技術】
【０００２】
上階と該上階に隣接する下階とを備える建物の一例として、特許文献１に記載のものが知られている。この建物は、２階建ての建物であり、１階と２階とを連通する吹抜が南側の壁に沿って設けられ、吹抜の上方の屋根には天窓が設けられ、南側の壁には回動可能な窓が設けられている。このため、天窓や回動可能な窓を介して吹抜への自然採光を確保することができ、明るくかつ居住性の良い空間を提供することができる。
【特許文献１】特開２００２−２１４３２号公報
【発明の開示】
【発明が解決しようとする課題】
【０００３】
しかしながら、特許文献１のように１階と２階とを連通する吹抜を設けると、１階への採光及び通風を確保することはできるが２階の床面積が小さくなるという問題があった。一方、吹抜を設けないと、２階の床面積が小さくなるのを防ぐことはできるが、１階の採光性及び通風性が、吹抜がある場合に比して劣る問題があった。
【０００４】
本発明の課題は、上階と該上階に隣接する下階とを備える建物において、下階への採光及び通風を確保するとともに、上階の床面積が小さくなるのを防ぐことである。
【課題を解決するための手段】
【０００５】
以上の課題を解決するため、請求項１に記載の発明は、例えば図１〜３に示すように、上階（例えば、２階Ｆ２）と該上階（例えば、２階Ｆ２）に隣接する下階（例えば、１階Ｆ１）とを備える建物Ｈにおいて、
前記上階（例えば、２階Ｆ２）の床６と外壁Ｗ１との間に該外壁Ｗ１に沿って形成され、前記上階（例えば、２階Ｆ２）と前記下階（例えば、１階Ｆ１）とを連通する隙間部２と、
この隙間部２を覆うように設けられ、前記上階（例えば、２階Ｆ２）と前記下階（例えば、１階Ｆ１）とを連通した状態で下階（例えば、１階Ｆ１）への物の落下を防ぐ落下防止部（例えば、格子部２ａ）と、を備え、
前記隙間部２の幅は１ｍ以下であることを特徴としている。
ここで、前記隙間部２の幅を１ｍ以下としたのは、１ｍより大きいと上階の床面積が小さくなってしまうためである。
【０００６】
請求項１に記載の発明によれば、隙間部２は上階（例えば、２階Ｆ２）と下階（例えば、１階Ｆ１）とを連通しているため、上階（例えば、２階Ｆ２）の光が下階（例えば、１階Ｆ１）へと差し込むことによって、下階（例えば、１階Ｆ１）への採光を確保することができるとともに、下階（例えば、１階Ｆ１）への通風を確保することができる。また、隙間部２を覆うように落下防止部（例えば、格子部２ａ）が設けられているため、上階（例えば、２階Ｆ２）から下階（例えば、１階Ｆ１）へと物が落下するのを防ぐことができる。さらに、隙間部２の幅は１ｍ以下であるため、上階（例えば、２階Ｆ２）の床面積が小さくなるのを防ぐことができる。
【０００７】
請求項２に記載の発明は、例えば図１〜３に示すように、請求項１に記載の建物Ｈにおいて、前記床６は、建築用床パネル１で形成されており、
この建築用床パネル１には、その厚さ方向に貫通する平面視略長方形の貫通孔２ｂを複数有する格子部２ａが設けられ、
前記落下防止部は、前記格子部２ａによって構成されていることを特徴としている。
【０００８】
請求項２に記載の発明によれば、前記床６は、建築用床パネル１によって形成されており、この建築用床パネル１には落下防止部を構成する格子部２ａが設けられているため、床６の所定の位置に配置されるべき床パネルを建築用床パネル１に置換することによって、床６に格子部２ａで覆われた隙間部２を容易に形成することができる。また、この建築用床パネル１に設けられた格子部２ａの貫通孔２ｂを介して、上階（例えば、２階Ｆ２）と下階（例えば、１階Ｆ１）とを確実に連通させることができる。
【０００９】
請求項３に記載の発明は、例えば図１，２，４に示すように、請求項２に記載の建物Ｈにおいて、前記建築用床パネル１は、矩形状の枠体１ａと、この枠体１ａの片面の一部分に貼着される面材１ｆと、前記枠体１ａの前記面材１ｆが貼着されていない部分に設けられる前記格子部２ａと、を備えることを特徴としている。
【００１０】
請求項３に記載の発明によれば、建築用床パネル１は、枠体１ａの片面の一部に面材１ｆを貼着し、枠体１ａの面材１ｆが貼着されていない部分に格子部２ａを設ければよい。よって、建築用床パネル１を容易に形成することができる。
【００１１】
請求項４に記載の発明は、例えば図２，３に示すように、請求項１〜３のいずれか一項に記載の建物Ｈにおいて、前記上階（例えば、２階Ｆ２）の外壁Ｗ１には、前記隙間部２の上方に窓（例えば、腰窓５）が設けられていることを特徴としている。
【００１２】
請求項４に記載の発明によれば、隙間部２を介して上階（例えば、２階Ｆ２）の外壁Ｗ１の窓（例えば、腰窓５）から下階（例えば、１階Ｆ１）へと光が差し込むことによって下階（例えば、１階Ｆ１）への自然採光を確保することができるとともに、外壁Ｗ１の窓（例えば、腰窓５）から上階（例えば、２階Ｆ２）を介して下階（例えば、１階Ｆ１）へと風が吹き込むことによって下階（例えば、１階Ｆ１）への通風を確保することができる。
【００１３】
請求項５に記載の発明は、例えば図２に示すように、請求項１〜４のいずれか一項に記載の建物Ｈにおいて、平面視において前記外壁Ｗ１に対向した外壁Ｗ２に面して、前記上階（例えば、２階Ｆ２）と下階（例えば、１階Ｆ１）とを連通する吹抜３が設けられていることを特徴としている。
【００１４】
請求項５に記載の発明によれば、隙間部２によって上階（例えば、２階Ｆ２）と下階（例えば、１階Ｆ１）とが連通しているとともに、平面視において隙間部２に隣接する外壁Ｗ１に対向した外壁Ｗ２に面して、上階（例えば、２階Ｆ２）と下階（例えば、１階Ｆ１）とを連通する吹抜３が設けられているため、隙間部２及び吹抜３を介して上階（例えば、２階Ｆ２）と下階（例えば、１階Ｆ１）との空気を循環させることができる。
【発明の効果】
【００１５】
本発明によれば、下階への採光を確保することができるとともに、下階への通風を確保することができる。また、上階から下階へと物が落下するのを防ぐことができる。さらに、上階の床面積が小さくなるのを防ぐことができる。
【発明を実施するための最良の形態】
【００１６】
以下、図面を参照して本発明に係る建物Ｈについて詳細に説明する。
図１は建物Ｈの隙間部２周辺の部分斜視図であり、図２（ａ）は建物Ｈの１階部分の平面図、（ｂ）は２階部分の平面図、図３は建物Ｈの立面図、図４は建築用床パネル１の製造方法を示す概略正面図である。
【００１７】
図２，３に示すように、建物Ｈは、パネル工法によって組み立てられた２階建ての建物であり、１階Ｆ１は、玄関Ｅ、この玄関Ｅに続く玄関ホールＨ１、玄関Ｅ及び玄関ホールＨ１に隣接するリビングダイニングキッチンＬ等から構成されている。このリビングダイニングキッチンＬ内には、１階Ｆ１と２階Ｆ２とを連通する吹抜３が外壁Ｗ２に面して設けられており、この吹抜３には２階Ｆ２へと昇る螺旋階段４が設けられている。
【００１８】
建物Ｈの２階Ｆ２は、螺旋階段４から続くホールＨ２、このホールＨ２を挟んで対向する寝室Ｂ及び子供部屋Ｃ等から構成されている。また、ホールＨ２に面した外壁Ｗ１には腰窓５が設けられており、ホールＨ２の床６と外壁Ｗ１との間には、該外壁Ｗ１に沿って幅４５０ｍｍの隙間部２が形成されている。この隙間部２は、後述する建築用床パネル１に形成されたものであり、この建築用床パネル１が外壁Ｗ１に沿って設けられている。なお、隙間部２の幅は、１ｍ以下であればよく、好ましくは６００ｍｍ以下、さらに好ましくは４５０ｍｍ以下とする。
また、隙間部２に隣接する外壁Ｗ１と、吹抜３が面する外壁Ｗ２とは、平面視において対向した位置に設けられている。
【００１９】
図１，４に示すように、建築用床パネル１は、矩形状の枠体１ａと、この枠体１ａに貼着される面材１ｆと、物が１階Ｆ１（図１参照）へと落下するのを防ぐ３つの格子部２ａと、これらの格子部２ａを支持する支持材１ｇと、を備えている。
【００２０】
枠体１ａは、一対の第１框材１ｂ及び該第１框材１ｂよりも短い一対の第２框材１ｃを矩形に組み立てたものであり、この枠体１ａ内に第１框材１ｂと平行に芯材１ｄが設けられ、枠体１ａ及び芯材１ｄの間に、第２框材１ｃと平行に２対の補強材１ｅが設けられている。
【００２１】
面材１ｆは、枠体１ａの片面の略半分に貼着されている。詳しくは、１本の第１框材１ｂと、一対の第２框材１ｃと、芯材１ｄとに囲まれる部分に、１本の第１框材１ｂ、一対の第２框材１ｃ、芯材１ｄの上面を覆う状態で貼着されている。
【００２２】
枠体１ａの面材が貼着されない部分が隙間部２を形成し、この隙間部２の補強材１ｅによって区切られた３つの空間に、それぞれ表面が化粧済みの格子部２ａが設けられる。この格子部２ａは、１本の第１桟材と、この第１桟材に直交しかつ互いに所定間隔だけ離間した複数の第２桟材から構成されており、格子部２ａを第１桟材が第１框材１ｂに平行になるように隙間部２に設けることによって、建築用床パネル１の厚さ方向に貫通する平面視略長方形の貫通孔２ｂが複数形成される。なお、第２桟材同士の間隔は、１０ｍｍとする。
【００２３】
支持材１ｇは、隙間部２の内壁、すなわち第１框材１ｂと補強材１ｅの内側に設けられ、格子部２ａを支持する。このとき格子部２ａの上面が建築用床パネル１の面材１ｆの上面と略同じ高さに位置するようにする。また、格子部２ａに挟まれた補強材１ｅの上面には、格子部２ａの上面及び面材１ｆの上面と略同じ高さになるように調整材１ｈを取り付ける。
【００２４】
次に、以上のように構成される建物Ｈの施工方法、特に隙間部２の形成方法について説明する。
【００２５】
まず、図４（ａ）に示すように、一対の第１框材１ｂと一対の第２框材１ｃとからなる矩形の枠体１ａを組み立て、この枠体１ａ内の所定位置に芯材１ｄと補強材１ｅを取り付ける。その後、図４（ｂ）に示すように、枠体１ａの片面の略半分に面材１ｆを貼着するとともに、枠体１ａの面材１ｆを貼着しない部分の第１框材１ｂ及び芯材１ｄの側面に、支持材１ｇを取り付ける。
【００２６】
次に、パネル工法によって建物Ｈを組み立てるとともに、建築用床パネル１を所定の位置に組み込む。詳しくは、建築用床パネル１を腰窓５が設けられた外壁Ｗ１に沿って設置する。また、このとき外壁Ｗ２に面して吹抜３を形成し、この吹抜３には螺旋階段４を設置する。
【００２７】
次に、図４（ｃ）に示すように、枠体１ａの面材１ｆが貼着されていない部分を覆うように、格子部２ａを支持材１ｇ上に設置する。その後、補強材１ｅと格子部２ａとの段差をなくすために補強材１ｅの上面に調整材１ｈを取り付けた後、外壁Ｗ１に壁紙７を貼る。
【００２８】
以上の実施形態によれば、隙間部２は２階Ｆ２と１階Ｆ１とを連通しているため、２階Ｆ２の光が１階Ｆ１へと差し込むことによって１階Ｆ１への採光を確保することができるとともに、１階Ｆ１への通風を確保することができる。また、隙間部２を覆うように格子部２ａが設けられているため、２階Ｆ２から１階Ｆ１へと物が落下するのを防ぐことができる。さらに、隙間部２の幅は１ｍ以下であるため、２階Ｆ２の床面積が小さくなるのを防ぐことができる。
【００２９】
前記床６は、建築用床パネル１によって形成されており、この建築用床パネル１には落下防止部を構成する格子部２ａが設けられているため、床６の所定の位置に配置されるべき床パネルを建築用床パネル１に置換することによって、床６に格子部２ａで覆われた隙間部２を容易に形成することができる。また、この建築用床パネル１に設けられた格子部２ａの貫通孔２ｂを介して、２階Ｆ２と１階Ｆ１とを確実に連通させることができる。
【００３０】
また、建築用床パネル１は、枠体１ａの片面の一部に面材１ｆを貼着し、枠体１ａの面材１ｆが貼着されていない部分に格子部２ａを設ければよい。よって、隙間部２を容易に形成することができる。
【００３１】
さらに、隙間部２を介して２階Ｆ２の外壁Ｗ１の腰窓５から１階Ｆ１へと光が差し込むことによって１階Ｆ１への自然採光を確保することができるとともに、外壁Ｗ１の腰窓５から２階Ｆ２を介して１階Ｆ１へと風が吹き込むことによって１階Ｆ１への通風を確保することができる。
【００３２】
また、隙間部２によって２階Ｆ２と１階Ｆ１とが連通しているとともに、平面視において隙間部２に隣接する外壁Ｗ１に対向した外壁Ｗ２に面して、２階Ｆ２と１階Ｆ１とを連通する吹抜３が設けられているため、隙間部２及び吹抜３を介して２階Ｆ２と下階１階Ｆ１との空気を循環させることができる。
【００３３】
なお、以上の実施形態においては、建築用床パネル１を建物Ｈの所定位置に組み込んだ後に格子部２ａを設けたが、本発明はこれに限定されるものではなく、格子部２ａを予め設けた状態で建築用床パネル１を建物Ｈに組み込んでも良い。
【図面の簡単な説明】
【００３４】
【図１】本発明に係る建物の隙間部の構成を示す部分斜視図である。
【図２】本発明に係る建物の構成を示すものであり、（ａ）は１階部分の平面図、（ｂ）は２階部分の平面図である。
【図３】本発明に係る建物の構成を示す立面図である。
【図４】建築用床パネルの製造過程を示すものであり、（ａ）は枠体に芯材及び補強材を設けた状態の正面図、（ｂ）は枠体に面材を設けた状態の正面図、（ｃ）は枠体に格子部を設けた状態の正面図である。
【符号の説明】
【００３５】
Ｈ  建物
Ｗ１，Ｗ２  外壁
１  建築用床パネル
１ａ  枠体
１ｆ  面材
２  隙間部
２ａ  格子部
２ｂ  貫通孔
３  吹抜
６  床
【図１】
2007107297.tif 000003
【図２】
2007107297.tif 000004
【図３】
2007107297.tif 000005
【図４】
2007107297.tif 000006